(57)【要約】【課題】  クレードルへの装着時に、面倒な操作や複雑な操作を行うことなく容易に動作モードを切換えることができる携帯機器及び携帯機器システムを提供する。【解決手段】  ＣＰＵ２８は、クレードル６０にデジタルカメラ１０が装着されたときに、クレードル６０に対するデジタルカメラ１０の向きをスイッチ部４１により検出し、検出された向きに応じてデジタルカメラ１０の動作モードを第１モード（充電モード）及び第２モード（外部装置接続モード）のいずれか一方に切り換える。【選択図】  図４
2005064900.tif 000002
【特許請求の範囲】
【請求項１】
クレードルに装着可能で、かつ前記クレードルに装着されたときに実行可能な複数の動作モードが設定された携帯機器であって、
前記クレードルに前記携帯機器が装着されたときに、前記クレードルに対する前記携帯機器の接続状態を判断する判断手段と、
前記接続状態に応じて前記動作モードを切り換える切換手段と、
を備えた携帯機器。
【請求項２】
前記クレードル及び前記携帯機器の一方に１つのコネクタを設けると共に、前記クレードル及び前記携帯機器の他方に複数のコネクタを設けておき、
前記判断手段は、前記１つのコネクタが、前記複数のコネクタのいずれに接続されているかを判断することにより前記接続状態を判断する請求項１記載の携帯機器。
【請求項３】
クレードルに装着可能で、かつ前記クレードルに装着されたときに実行可能な複数の動作モードが設定された携帯機器であって、
前記クレードルに前記携帯機器が装着されたときに、前記クレードルに対する前記携帯機器の向きを検出する検出手段と、
前記検出された向きに応じて前記動作モードを切り換える切換手段と、
を備えた携帯機器。
【請求項４】
請求項１または請求項２記載の携帯機器と、
前記携帯機器が装着可能で、かつ前記携帯機器が装着されたときに前記携帯機器と電気的に接続されるクレードルと、
を含む携帯機器システム。
【請求項５】
請求項３記載の携帯機器と、
前記携帯機器が装着可能で、かつ前記携帯機器が装着されたときに前記携帯機器と電気的に接続されるクレードルと、
を含む携帯機器システム。
【発明の詳細な説明】
【技術分野】
【０００１】
本発明は、携帯機器及び携帯機器システムに関し、特に、クレードルに装着可能なデジタルカメラ、ムービーカメラ、携帯電話等の携帯機器及び該携帯機器とクレードルとを含む携帯機器システムに関するものである。
【背景技術】
【０００２】
デジタルカメラを外部機器と接続したり、デジタルカメラに充電を行ったりするために、クレードルが使用される場合がある。
【０００３】
ユーザは、クレードルを使用する場合には、デジタルカメラに備えられたセットアップ機能により、予めデジタルカメラを所望の動作モードに切換えてから、クレードルに装着している。
【０００４】
しかしながら、デジタルカメラの動作モードを切換える作業は面倒であり、特にカメラ操作に不慣れなユーザにとっては手間や時間がかかる、という問題がある。
【０００５】
自動的に動作モードを変えるデジタルカメラとしては、デジタルカメラがクレードルに装着されると、動作モードが自動的に通信モードに変わるデジタルカメラが知られている（例えば、特許文献１参照。）。
【０００６】
また、ディジタル・カメラがクレードル・アセンブリに置かれると、クレードル・アセンブリにより宛先システムとの通信接続が確立され、画像データが宛先システムに自動的に転送されるディジタル・カメラが知られている（例えば、特許文献２参照。）。
【特許文献１】特開２００２−２１８３００号公報
【特許文献２】特開２０００−２３２５９９号公報
【発明の開示】
【発明が解決しようとする課題】
【０００７】
しかしながら、上述した自動的に動作モードを変えるデジタルカメラや、画像データが自動的に宛先システムに転送されるディジタル・カメラでは、クレードル装着時に実行可能な動作モードを複数有し、該複数の動作モードを選択的に切換えて実行する場合には適用できない、という問題がある。
【０００８】
本発明は上記問題点を解決するためになされたものであり、クレードルへの装着時に、面倒な操作や複雑な操作を行うことなく容易に動作モードを切換えることができる携帯機器及び携帯機器システムを提供することを目的とする。
【課題を解決するための手段】
【０００９】
上記目的を達成するために、本発明の第１の携帯機器は、クレードルに装着可能で、かつ前記クレードルに装着されたときに実行可能な複数の動作モードが設定された携帯機器であって、前記クレードルに前記携帯機器が装着されたときに、前記クレードルに対する前記携帯機器の接続状態を判断する判断手段と、前記接続状態に応じて前記動作モードを切り換える切換手段と、を備えている。
【００１０】
本発明の第１の携帯機器には、クレードルに装着可能で、かつ前記クレードルに装着されたときに実行可能な複数の動作モードが設定されている。
【００１１】
ここで、複数の動作モードは、クレードルに装着されたときに実行可能であれば特に限定されず、例えば、クレードルを介して、携帯機器の充電電池を充電するモード、外部機器と接続するモード、外部機器と通信するモード、プリンタ等に接続して携帯機器から出力したデータをプリントするモードなど、どのようなモードであってもよい。
【００１２】
クレードルに該携帯機器が装着されると、判断手段によりクレードルに対する携帯機器の接続状態が判断され、接続状態に応じて切換手段により動作モードが切換えられる。
【００１３】
なお、接続状態の判断は、例えば、前記クレードル及び前記携帯機器の一方に１つのコネクタを設けると共に、前記クレードル及び前記携帯機器の他方に複数のコネクタを設けておき、前記判断手段は、前記１つのコネクタが、前記複数のコネクタのいずれに接続されているかを判断することにより前記接続状態を判断することもできる。
【００１４】
このように、接続状態に応じて動作モードを切換えるようにしたため、面倒な操作や複雑な操作を行うことなく容易に動作モードを切換えることができる。
【００１５】
なお、複数のコネクタの数は特に限定されず、２つであっても、３つ以上であってもよい。
【００１６】
本発明の第２の携帯機器は、クレードルに装着可能で、かつ前記クレードルに装着されたときに実行可能な複数の動作モードが設定された携帯機器であって、前記クレードルに前記携帯機器が装着されたときに、前記クレードルに対する前記携帯機器の向きを検出する検出手段と、前記検出された向きに応じて前記動作モードを切り換える切換手段と、を備えている。
【００１７】
本発明の第２の携帯機器では、クレードルに携帯機器が装着されると、検出手段によりクレードルに対する向きが検出され、検出された向きに応じて切換手段により動作モードが切換えられる。
【００１８】
このように、クレードルに対する向きに応じて動作モードを切換えるようにしたため、面倒な操作や複雑な操作を行うことなく容易に動作モードを切換えることができる。
【００１９】
なお、検出手段は特に限定されず、例えば、携帯機器を装着したときに、クレードルに対する向きに応じてオン／オフするスイッチを使用してもよいし、クレードルに対する向きに応じて出力される電圧信号が変化したり、或いは導通状態／非導通状態となるような検出端子等を使用してもよい。
【００２０】
本発明の第１の携帯機器システムは、前記第１の携帯機器と、前記携帯機器が装着可能で、かつ前記携帯機器が装着されたときに前記携帯機器と電気的に接続されるクレードルと、を含んで構成されている。
【００２１】
本発明の第１の携帯機器システムも、本発明の第１の携帯機器と同様に作用するため、面倒な操作や複雑な操作を行うことなく容易に動作モードを切換えることができる。
【００２２】
本発明の第２の携帯機器システムは、前記第２の携帯機器と、前記携帯機器が装着可能で、かつ前記携帯機器が装着されたときに前記携帯機器と電気的に接続されるクレードルと、を含んで構成されている。
【００２３】
本発明の第２の携帯機器システムも、本発明の第２の携帯機器と同様に作用するため、面倒な操作や複雑な操作を行うことなく容易に動作モードを切換えることができる。
【発明の効果】
【００２４】
以上説明した如く本発明によれば、携帯機器とクレードルとの接続状態を判断するか、或いはクレードルに装着された携帯機器のクレードルに対する向きを検出し、判断された接続状態或いは検出された向きに応じて動作モードを切換えるようにしたため、面倒な操作や複雑な操作を行うことなく容易に動作モードを切換えることができる、という優れた効果を奏する。
【発明を実施するための最良の形態】
【００２５】
以下、図面を参照して、本発明の実施例を詳細に説明する。
【００２６】
なお、以下では、本発明の携帯機器をデジタルカメラに適用した場合について説明する。
【００２７】
［実施例１］
図１（Ａ）は、本実施例に係るデジタルカメラ１０の外観上の構成を示した外観図である。同図に示すように、デジタルカメラ１０の正面には、被写体像を結像させるためのレンズ１２と、撮影する被写体の構図を決定するために用いられるファインダ４６と、セルフタイマ機能を用いて撮影するときに撮影タイミングの到来を点滅により報知するセルフタイマＬＥＤ１０が４４と、が備えられている。
【００２８】
デジタルカメラ１０の上面には、撮影を実行する際にユーザによって押圧操作されるレリーズボタン（所謂シャッター）３０Ａと、電源スイッチ５２と、が備えられている。
【００２９】
一方、デジタルカメラ１０の背面には、前述のファインダ４６の接眼部と、撮影によって得られたデジタル画像データにより表される画像や各種メニュー画面等を表示するための液晶ディスプレイ（以下、「ＬＣＤ」という。）５０と、ＬＣＤ５０の表示領域における上下左右の４方向の移動方向を示す４つの矢印キーが設けられた十字カーソルボタン３０Ｂと、撮影によって得られたデジタル画像データにより表される画像をＬＣＤ５０に表示（再生）するための再生モードを選択する再生スイッチ３０Ｄと、撮影を行うモードを選択する撮影スイッチ３０Ｅと、が備えられている。
【００３０】
一方、デジタルカメラ１０の底面には、外部装置と所定のインタフェース規格（本実施例では、ＵＳＢ）により接続するために用いられるコネクタ４０と、デジタルカメラ１０がクレードル６０に装着されたときにクレードル６０に設けられた絶縁体の突起部６３（図１（Ｂ）参照）によりオン／オフされるスイッチ部４１と、が設けられている。
【００３１】
スイッチ部４１内部には、不図示の一対の電極が設けられている。この一対の電極は、通常はスイッチ部４１内部で接触した状態に維持されるため、導通状態（オン状態）が維持されるが、スイッチ部４１に、クレードル６０の突起部６３が挿入されると、接触している電極が該絶縁体により離間し、非導通状態（オフ状態）となるように構成されている。
【００３２】
また、デジタルカメラ１０のグリップ部には、ＡＣアダプタが接続されていない状態において、各部に電源電力を供給する充電電池３４が内蔵されている。
【００３３】
図１（Ｂ）は、デジタルカメラ１０を装着することが可能で、かつデジタルカメラ１０が装着されたときにデジタルカメラ１０と電気的に接続されるクレードル６０の外観をデジタルカメラ１０との関係において示した外観図である。
【００３４】
同図に示すように、クレードル６０には、デジタルカメラ１０が挿入されるカメラ挿入部６１が設けられており、カメラ挿入部６１の内部底面には、デジタルカメラ１０に設けられたコネクタ４０の接続端子に対応するクレードルコネクタ６２と、絶縁体の突起部６３が配設されている。
【００３５】
なお、本実施例では、デジタルカメラ１０が、正面及び背面のいずれの向きでクレードル６０に挿入されても、デジタルカメラ１０のコネクタ４０とクレードルコネクタ６２とを接続でき、クレードル６０に装着可能な構成となっている。
【００３６】
突起部６３には、図示されないばね等の弾性部材が設けられており、通常は該弾性部材によって上方に付勢され、カメラ挿入部６１の内部底面から突出した状態が維持される。また、突起部６３は、上側から押圧されて押し下げられると、クレードル６０内部に収容される。
【００３７】
突起部６３は、デジタルカメラ１０の正面の向きとクレードル６０の正面が一致するようにデジタルカメラ１０がクレードル６０に装着されたときに、スイッチ部４１内部に挿入され、スイッチ部４１内部の一対の電極を離間させるように配設されている。また、デジタルカメラ１０の背面の向きとクレードル６０の正面の向きとが一致するようにデジタルカメラ１０がクレードル６０に装着されたときには、突起部６３はデジタルカメラ１０底面により押圧されて押し下げられ、クレードル６０内部に収容される。
【００３８】
更に、クレードル６０には、クレードル６０用の不図示のＡＣアダプタが接続された状態で押圧操作されることにより、電源電力の供給／遮断を切り替える電源スイッチ６４と、クレードル６０に装着されたデジタルカメラ１０とクレードル６０に接続された外部装置との間で通信が行われているときに点灯される通信ＬＥＤ６６と、が備えられている。
【００３９】
デジタルカメラ１０をクレードル６０に装着する際には、デジタルカメラ１０を、底面を下向きとして同図矢印Ａ方向に挿入する。これによって、デジタルカメラ１０のコネクタ４０がクレードルコネクタ６２に接続される。コネクタ４０とクレードルコネクタ６２とが接続されることにより、デジタルカメラ１０の充電電池３４を充電したり、デジタルカメラ１０と外部装置とを接続したりすることができる。
【００４０】
なお、本実施例では、デジタルカメラ１０は、クレードル６０に装着されたときに実行可能な動作モードとして、充電電池３４を充電するための充電モードと、外部装置と接続するための外部装置接続モードとを備えている。動作モードの切換えは、デジタルカメラ１０がクレードル６０に装着されたときに、デジタルカメラ１０のＣＰＵ２８（図２参照）により行われる
本実施例に係るクレードル６０は、装着されたデジタルカメラ１０が充電モードに切換えられているときには、デジタルカメラ１０に内蔵された充電電池３４を充電するために機能し、装着されたデジタルカメラ１０が外部装置接続モードに切換えられているときには、デジタルカメラ１０を外部装置に接続するために機能する。
【００４１】
例えば、クレードル６０に装着されたデジタルカメラ１０が充電モードに切換えられているときには、クレードル６０に接続されたＡＣアダプタから供給される直流電力により充電電池３４を充電することができる。
【００４２】
一方、クレードル６０に装着されたデジタルカメラ１０が外部装置接続モードに切換えられているときには、クレードル６０に接続された外部装置が、例えば、図１（Ｂ）に示されるようなＰＣ８０であれば、デジタルカメラ８０はＰＣ８０の周辺機器として機能し、例えばデジタルカメラ１０で撮像されて得られたデジタル画像データをＰＣ８０の表示部８４で再生したり、ＰＣ８０に装着された外部メディア８２に記憶したりすることができる。
【００４３】
図２は、本実施例に係るデジタルカメラ１０の電気系の構成を示した構成図である。
【００４４】
同図に示すように、デジタルカメラ１０は、前述のレンズ１２を含んで構成された光学ユニット１４と、レンズ１２の光軸後方に配設されたＣＣＤ（Charge Coupled Device）１６と、入力されたアナログ画像信号をデジタル画像データに変換するアナログ／デジタル変換器（以下、「Ａ／Ｄ変換器」という。）１８と、所定容量のラインバッファを内蔵すると共に入力されたデジタル画像データに対して所定のデジタル信号処理を施す一方、ＬＣＤ５０に対する表示動作を司るＤＳＰ（Digital Signal Processor）２０と、主として撮影により得られたデジタル画像データを記憶するＳＤＲＡＭ（Synchronous Dynamic Random Access Memory）２２と、各種プログラムやパラメータ等を予め記憶したフラッシュメモリ（Flash Memory）２４と、デジタルカメラ１０全体の動作を司るＣＰＵ（中央演算処理装置）２８と、所定の圧縮形式でデジタル画像データに対して圧縮処理を施すと共に、圧縮処理されたデジタル画像データに対して伸張処理を施す圧縮・伸張部２９と、を含んで構成されている。
【００４５】
ＣＣＤ１６の出力端はＡ／Ｄ変換器１８の入力端に、Ａ／Ｄ変換器１８の出力端はＤＳＰ２０の入力端に、ＤＳＰ２０の出力端はＬＣＤ５０の入力端に、各々接続されている。また、ＤＳＰ２０、ＳＤＲＡＭ２２、フラッシュメモリ２４、ＣＰＵ２８、及び圧縮・伸張部２９はバスＢＵＳによって相互に接続されている。従って、ＣＰＵ２８は、ＳＤＲＡＭ２２及びフラッシュメモリ２４を任意にアクセスすることができると共に、ＤＳＰ２０及び圧縮・伸張部２９の作動を制御することができる。
【００４６】
一方、ＣＰＵ２８には、前述のレリーズボタン３０Ａ、十字カーソルボタン３０Ｂ、再生スイッチ３０Ｄ、撮影スイッチ３０Ｅ、電源スイッチ５２の各種ボタン類及びスイッチ類（図２では、「操作部３０」と総称。）が接続されている。従って、ＣＰＵ２８は、これらボタン類及びスイッチ類の操作状況を常時把握できる。
【００４７】
また、ＣＰＵ２８はモータ駆動部３３の入力端に接続され、モータ駆動部３３の出力端は光学ユニット１４に備えられた焦点調整モータ及びズームモータに接続されている。
【００４８】
本実施例に係る光学ユニット１４に含まれるレンズ１２は複数枚のレンズを有し、焦点距離の変更（変倍）が可能なズームレンズとして構成されており、図示しないレンズ駆動機構を備えている。このレンズ駆動機構にズームモータ及び焦点調整モータが含まれ、ズームモータ及び焦点調整モータは各々ＣＰＵ２８の制御下でモータ駆動部３３から供給された駆動信号によって駆動される。
【００４９】
また、デジタルカメラ１０には、バスＢＵＳに接続されたＵＳＢコントローラ３２が内蔵されており、ＵＳＢコントローラ３２は、デジタルカメラ１０がクレードル６０に装着されてコネクタ４０とクレードルコネクタ６２とが接続された状態において、クレードル６０に備えられたＵＳＢコネクタ７０を介して接続された外部装置との間のＵＳＢによる通信を司る。
【００５０】
更に、デジタルカメラ１０には、各部に所定レベルの直流の電源電力を供給するＤＣ／ＤＣコンバータ３６と、電源電力に関する制御を行う電源制御部３８と、が内蔵されており、電源制御部３８は、ＤＣ／ＤＣコンバータ３６と前述の充電電池３４に接続されている。また、デジタルカメラ１０がクレードル６０に装着されてコネクタ４０とクレードルコネクタ６２とが接続された状態において、電源制御部３８はクレードル６０に設けられたＤＣジャック６８と接続され、ＤＣジャック６８に不図示のＡＣアダプタが接続されている場合には、電源制御部３８に当該ＡＣアダプタからの所定レベルの直流電力が供給されることになる。
【００５１】
電源制御部３８は、デジタルカメラ１０がクレードル６０に装着されており、かつクレードル６０から上記所定レベルの直流電力が供給されているときにおいて、デジタルカメラ１０の動作モードが充電モードとなっている場合にはクレードル６０から供給されている直流電力により充電電池３４を充電する。
【００５２】
また、電源制御部３８は、デジタルカメラ１０がクレードル６０に装着されておらず、かつＤＣ端子４２にＡＣアダプタが接続されておらず、更に電源スイッチ５２がオン状態となっている場合は、充電電池３４から各部への電源電力の供給を行うように関係各部を制御する。
【００５３】
なお、デジタルカメラ１０がクレードル６０に装着されてコネクタ４０とクレードルコネクタ６２とが接続された状態において、ＣＰＵ２８にはクレードル６０に備えられている前述の電源スイッチ６４及び通信ＬＥＤ６６が接続される。従って、ＣＰＵ２８はクレードル６０の電源スイッチ６４のオン／オフ状態を把握できると共に、クレードル６０を介して接続された外部装置との間で通信を行っているときに通信ＬＥＤ６６を点灯するように制御することにより、クレードル６０を介した通信が行われていることを明示することができる。
【００５４】
また、デジタルカメラ１０には、前述したスイッチ部４１が設けられている。スイッチ部４１の一対の電極は通常は導通状態（オン状態）に維持されるが、デジタルカメラ１０がクレードル６０に装着されて突起部６３により離間すると非導通状態（オフ状態）となる。スイッチ部４１はＣＰＵ２８に接続されており、ＣＰＵ２８はスイッチ部４１のオン／オフ状態を把握することができる。
【００５５】
前述のフラッシュメモリ２４には、デジタルカメラ１０がクレードル６０に装着されたときに、このスイッチ部４１のオン／オフ状態に応じて、デジタルカメラ１０の動作モードを切換えるための処理ルーチンのプログラムが記憶されている。ＣＰＵ２８は、該プログラムを実行することにより、デジタルカメラ１０の動作モード（本実施例では充電モード及び外部装置接続モードのいずれか）に切換える。
【００５６】
以下、図３の説明図及び図４のフローチャートを用いて、本実施例における動作モード切換処理について詳細に説明する。
【００５７】
図３（Ａ）は、デジタルカメラ１０の正面の向きがクレードル６０の正面の向きと一致するようにデジタルカメラ１０をクレードル６０に装着する場合を示した図であり、図３（Ｂ）は、デジタルカメラ１０の背面の向きがクレードル６０の正面の向きと一致するようにクレードル６０に装着する場合を示した図である。
【００５８】
図４は、ＣＰＵ２８により実行される処理ルーチンの流れを示したフローチャートである。
【００５９】
ステップ１００では、デジタルカメラ１０がクレードル６０に装着されたか否かを判断する。例えば、デジタルカメラ１０のコネクタ４０とクレードル６０のクレードルコネクタ６２との接続状態により電気的に判断することができる。
【００６０】
ステップ１００で、デジタルカメラ１０がクレードル６０に装着されていないと判断した場合には、待機状態が維持される。
【００６１】
ステップ１００で、デジタルカメラ１０がクレードル６０に装着されていると判断した場合には、ステップ１０２に移行し、デジタルカメラ１０のスイッチ部４１がオン状態にあるか否かを判断する。
【００６２】
ユーザが、図３（Ａ）に示されるようにデジタルカメラ１０の正面の向きとクレードル６０の正面の向きとが一致するようにデジタルカメラ１０をクレードル６０のカメラ挿入部６１に挿入し、クレードル６０に装着した場合には、クレードル６０の突起部６３は、デジタルカメラ１０の底面によって押圧されて、クレードル６０内部に収容されるため、スイッチ部４１内は導通状態が維持される。このため、ステップ１０２では、スイッチ部４１はオン状態にあると判断される。
【００６３】
一方、ユーザが、図３（Ｂ）に示されるようにデジタルカメラ１０の背面の向きとクレードル６０の正面の向きが一致するようにデジタルカメラ１０をクレードル６０のカメラ挿入部６１に挿入し、クレードル６０に装着した場合には、クレードル６０の突起部６３は、デジタルカメラ１０のスイッチ部４１内部に挿入されるため、デジタルカメラ１０の底面によって押圧されずに突出した状態が維持される。従って、スイッチ部４１内部の一対の電極が離間し、非導通状態となる。このため、ステップ１０２では、スイッチ部４１はオフ状態にあると判断される。
【００６４】
ステップ１０２において、スイッチ部４１がオン状態にあると判断されたときには、デジタルカメラ１０の向きはクレードル６０の向きと一致すると判断し、ステップ１０４に移行して、デジタルカメラ１０の動作モードを第１モード（本実施例では、充電モード）に切換える。
【００６５】
一方、ステップ１０２で、スイッチ部４１がオフ状態にあると判断したときには、デジタルカメラ１０の向きが、クレードル６０の向きに一致していないと判断し、ステップ１０６に移行して、デジタルカメラ１０の動作モードを第２モード（本実施例では、外部装置接続モード）に切換える。
【００６６】
以上説明したように、クレードル６０にデジタルカメラ１０が装着されたときに、クレードル６０に対するデジタルカメラ１０の向きをスイッチ部４１により検出し、検出された向きに応じて動作モードを切り換えるようにしたため、面倒な操作や複雑な操作を行うことなく容易に動作モードを切換えることができる。
【００６７】
なお、本実施例では、デジタルカメラ１０の正面の向きとクレードル６０の正面の向きが一致するように装着された場合に、充電モードに切換え、デジタルカメラ１０の背面の向きとクレードル６０の正面の向きが一致するように装着された場合に、外部装置接続モードに切換える例について説明したが、本発明はこのような例に限定されず、デジタルカメラ１０の正面の向きとクレードル６０の正面の向きが一致するように装着された場合に、外部装置接続モードに切換え、デジタルカメラ１０の背面の向きとクレードル６０の正面の向きが一致するように装着された場合に、充電モードに切換えるような構成としてもよい。
【００６８】
また、切換える動作モードは、上述した充電モードや外部装置接続モードに限定されず、例えば、プリンタ等に接続して印刷するためのモードや、テレビ等に接続して撮影した画像を出力し、再生するためのモード等であってもよい。
【００６９】
更に、スイッチ部４１のオン／オフ状態は逆にしてもよい。
【００７０】
［実施例２］
上述した実施例１では、デジタルカメラ１０にスイッチ部４１を設け、クレードル６０に突起部６３を設けることにより、デジタルカメラ１０のクレードル６０に対する向きを検出し、検出した向きに応じてデジタルカメラ１０の動作モードを切換える例について説明したが、本実施例では、スイッチ等を用いずに、電気的にデジタルカメラ１０のクレードル６０に対する向きを検出して、デジタルカメラ１０の動作モードを切換える例について説明する。
【００７１】
実施例１と同様に本実施例においても、デジタルカメラ１０がクレードル６０に装着されたときに実行可能な動作モードとして、充電モード（第１モード）と外部装置接続モード（第２モード）の２つを例に挙げて説明する。
【００７２】
なお、本実施例におけるデジタルカメラ１０の構成は、スイッチ部４１が設けられていない点を除いて、実施例１と同様の構成であるため、説明を省略する。また、クレードル６０の構成は、突起部６３が設けられていない点を除いて、実施例１と同様の構成であるため、説明を省略する。
【００７３】
本実施例では、ＣＰＵ２８は、実施例１で示した図４のフローチャートのステップ１０２に代えて、デジタルカメラ１０のコネクタ４０と、クレードル６０のクレードルコネクタ６２とが接続された状態で、電気的にデジタルカメラ１０のクレードル６０に対する向きを検出する。
【００７４】
具体的には、デジタルカメラ１０のコネクタ４０及びクレードル６０のクレードルコネクタ６２に、充電用に用いられる端子や外部装置接続用に用いられる端子とは別に、クレードル６０に対するデジタルカメラ１０の向きを検出するための検出端子を、コネクタ４０及びクレードルコネクタ６２の各コネクタに設ける。検出端子は、デジタルカメラ１０の正面の向きとクレードル６０の正面の向きが一致するようにコネクタ４０とクレードルコネクタ６２を接続したときに導通状態となり、デジタルカメラ１０の背面の向きとクレードル６０の正面の向きが一致するようにコネクタ４０とクレードルコネクタ６２を接続したときには非導通状態となるように、またはこれらの逆となるように配設する。
【００７５】
これにより、ステップ１０２において、検出端子の導通状態が検出され、検出結果に基づいてデジタルカメラ１０の向きが検出される。
【００７６】
以下、図５を参照しながら、より具体的に説明する。ここでは、検出端子が導通状態のときには充電モードに切換え、非導通状態のときには外部装置接続モードに切換える場合を例に挙げて説明する。
【００７７】
図５（Ａ）は、本実施例において、デジタルカメラ１０の正面の向きがクレードル６０の正面の向きと一致するようにデジタルカメラ１０をクレードル６０に装着する場合を示した図であり、図５（Ｂ）は、デジタルカメラ１０の背面の向きがクレードル６０の正面の向きと一致するようにクレードル６０に装着する場合を示した図である。
【００７８】
ユーザが図５（Ａ）に示されるようにデジタルカメラ１０をクレードル６０に装着した場合には、検出端子は導通状態となる。このため、実施例１の図４のステップ１０４と同様に、デジタルカメラ１０が第１のモード（ここでは充電モード）に切換えられる。
【００７９】
また、ユーザが、図５（Ｂ）に示されるようにデジタルカメラ１０をクレードル６０に装着した場合には、検出端子は非導通状態となる。このため、実施例１の図４のステップ１０６と同様に、デジタルカメラ１０が第２のモード（ここでは外部装置接続モード）に切換えられる。
【００８０】
なお、電気的にデジタルカメラ１０のクレードル６０に対する向きを検出する手法は、上述した例に限定されず、例えば、以下のような手法を採用することもできる。
【００８１】
デジタルカメラ１０のコネクタ４０とクレードル６０のクレードルコネクタ６２の各々を構成する端子において、充電用に用いられる端子と、外部装置接続用に用いられる端子とを区別し、デジタルカメラ１０がクレードル６０に装着されたときに、クレードル６０に対するデジタルカメラ１０の向きに応じて、充電に用いられる端子と及び外部装置接続に用いられる端子のいずれかが導通状態になるように構成して検出することもできる。
【００８２】
この場合には、いずれの端子が導通状態になったかを検出し、検出結果に基づいてデジタルカメラ１０の向きを検出し、動作モードを切換えることができる。
【００８３】
また、デジタルカメラ１０に受光素子等を設け、クレードルに設けられた発光体の発光状態を検出することにより、デジタルカメラ１０の向きを検出するようにしてもよい。
【００８４】
このように、スイッチ等を用いずに、電気的にデジタルカメラ１０のクレードル６０に対する向きを検出して、デジタルカメラ１０の動作モードを切換えるような構成であっても、面倒な操作や複雑な操作を行うことなく容易に動作モードを切換えることができる。
【００８５】
［実施例３］
上述した実施例１及び２では、デジタルカメラ１０のクレードル６０に対する向きをスイッチや検出端子等の検出手段により検出して、デジタルカメラ１０の動作モードを切換える例について説明したが、本実施例では、デジタルカメラ１０とクレードル６０との接続状態を判断し、判断結果に基づいて動作モードを切換える例について説明する。
【００８６】
以下では、実施例１と同様に、デジタルカメラ１０がクレードル６０に装着されたときに実行可能な動作モードとして、充電モード（第１モード）と外部装置接続モード（第２モード）の２つを例に挙げて説明する。
【００８７】
なお、本実施例におけるデジタルカメラ１０の構成は、スイッチ部４１が設けられておらず、かつクレードルコネクタ６２に接続可能なコネクタ４０が２つ設けられている点を除いて、実施例１と同様の構成である。なお、２つのコネクタ４０を区別するため、符号末尾に添字ａ、ｂを付して説明する。ここでは、コネクタ４０ａはデジタルカメラ１０の充電電池３４を充電する際に使用され、コネクタ４０ｂはデジタルカメラ１０と外部装置とを接続する際に使用される。
【００８８】
また、クレードル６０の構成は、突起部６３が設けられていない点を除いて、実施例１と同様の構成であるため、説明を省略する。
【００８９】
本実施例では、ＣＰＵ２８は、実施例１で示した図４のフローチャートのステップ１０２に代えて、コネクタ４０ａ及びコネクタ４０ｂのいずれのコネクタがクレードルコネクタ６２と接続されているかを判断する。これは、例えば、コネクタの導通状態から判断することができる。
【００９０】
図６（Ａ）は、本実施例において、コネクタ４０ａとクレードルコネクタ６２とが接続されるようにデジタルカメラ１０をクレードル６０に装着する場合を示した図であり、図６（Ｂ）は、コネクタ４０ｂとクレードルコネクタ６２とが接続されるようにデジタルカメラ１０をクレードル６０に装着する場合を示した図である。
【００９１】
ユーザが図６（Ａ）に示されるようにデジタルカメラ１０をクレードル６０に装着した場合には、コネクタ４０ａが導通状態となる。このため、コネクタ４０ａとクレードル６２とが接続されていると判断され、実施例１の図４のステップ１０４と同様に、デジタルカメラ１０を第１のモード（ここでは充電モード）に切換える。
【００９２】
また、ユーザが図６（Ｂ）に示されるようにデジタルカメラ１０をクレードル６０に装着した場合には、コネクタ４０ｂが導通状態となる。このため、コネクタ４０ｂとクレードル６２とが接続されていると判断され、実施例１の図４のステップ１０６と同様に、デジタルカメラ１０を第２のモード（ここでは外部装置接続モード）に切換える。
【００９３】
このように、デジタルカメラ１０とクレードル６０との接続状態を判断し、判断結果に基づいて動作モードを切換えるような構成であっても、面倒な操作や複雑な操作を行うことなく容易に動作モードを切換えることができる。
【００９４】
［実施例４］
上述した実施例３では、デジタルカメラ１０側にコネクタが２つ設けられている例について説明したが、本実施例では、クレードル６０側にコネクタが２つ設けられている例について説明する。
【００９５】
なお、本実施例におけるデジタルカメラ１０の構成は、スイッチ部４１が設けられていない点を除いて、実施例１と同様の構成であるため、説明を省略する。
【００９６】
また、クレードル６０の構成は、突起部６３が設けられておらず、かつクレードルコネクタ６２が２つ設けられている点を除いて、実施例１と同様の構成である。なお、２つのクレードルコネクタ６２を区別するため、符号末尾に添字ａ、ｂを付して説明する。本実施例では、クレードルコネクタ６２ａは、デジタルカメラ１０の充電電池３４を充電する際に使用され、クレードルコネクタ６２ｂは、デジタルカメラ１０と外部装置とを接続する際に使用される。
【００９７】
本実施例のクレードルコネクタ６２ａ及び６２ｂには、図示されないばね等の弾性部材が設けられ、通常は該弾性部材によって上方に付勢され、カメラ挿入部６１の内部底面から突出した状態が維持される。また、これらコネクタは上側から押圧されて押し下げられると、クレードル６０内部に収容される。
【００９８】
クレードルコネクタ６２ａは、デジタルカメラ１０の正面の向きとクレードル６０の正面の向きとが一致するようにデジタルカメラ１０がクレードル６０に装着された状態において、デジタルカメラ１０のコネクタ４０に接続されるように配設されている。
【００９９】
クレードルコネクタ６２ｂは、デジタルカメラ１０の背面の向きとクレードル６０の正面の向きとが一致するようにデジタルカメラ１０がクレードル６０に装着された状態において、デジタルカメラ１０のコネクタ４０に接続されるように配設されている。
【０１００】
本実施例では、ＣＰＵ２８は、実施例１で示した図４のフローチャートのステップ１０２に代えて、コネクタ４０が、クレードルコネクタ６２ａ及びクレードルコネクタ６２ｂのいずれのコネクタに接続されているかを判断する。
【０１０１】
具体的には、デジタルカメラ１０のコネクタ４０を構成する端子において、充電に用いられる端子と、外部装置接続に用いられる端子とを区別し、クレードルコネクタ６２ａの端子については、デジタルカメラ１０の正面の向きとクレードルの正面が一致するようにデジタルカメラ１０がクレードル６０に装着されたときにコネクタ４０の充電に用いられる端子のみが導通状態となるように構成し、クレードルコネクタ６２ｂの端子については、デジタルカメラ１０の背面の向きとクレードルの正面が一致するようにデジタルカメラ１０がクレードル６０に装着されたときにコネクタ４０の外部装置接続に用いられる端子のみが導通状態となるように構成する。
【０１０２】
これにより、ステップ１０２で、導通状態に応じて、コネクタ４０がクレードルコネクタ６２ａ及びクレードルコネクタ６２ｂのいずれのコネクタに接続されたかが判断される。
【０１０３】
図７（Ａ）は、本実施例において、コネクタ４０とクレードルコネクタ６２ａとが接続されるようにデジタルカメラ１０をクレードル６０に装着する場合を示した図であり、図７（Ｂ）は、コネクタ４０とクレードルコネクタ６２ｂとが接続されるようにデジタルカメラ１０をクレードル６０に装着する場合を示した図である。
【０１０４】
ユーザが図７（Ａ）に示されるようにデジタルカメラ１０をクレードル６０に装着した場合には、クレードルコネクタ６２ａがコネクタ４０に接続されると共に、クレードルコネクタ６２ｂはデジタルカメラ１０底面により押圧されて押し下げられ、クレードル６０内部に収容される。このため、コネクタ４０の充電用の端子のみが導通状態となる。これにより、コネクタ４０とクレードルコネクタ６２ａとが接続されていると判断され、実施例１の図４のステップ１０４と同様に、デジタルカメラ１０を第１のモード（ここでは充電モード）に切換える。
【０１０５】
また、ユーザが図７（Ｂ）に示されるようにデジタルカメラ１０をクレードル６０に装着した場合には、クレードルコネクタ６２ｂがコネクタ４０に接続されると共に、クレードルコネクタ６２ａはデジタルカメラ１０底面により押圧されて押し下げられ、クレードル６０内部に収容される。このため、コネクタ４０の外部装置接続用の端子のみが導通状態となる。これにより、コネクタ４０とクレードルコネクタ６２ｂとが接続されていると判断され、実施例１の図４のステップ１０６と同様に、デジタルカメラ１０を第２のモード（ここでは外部装置接続モード）に切換える。
【０１０６】
このような構成であっても、デジタルカメラ１０とクレードル６０との接続状態を判断でき、判断結果に基づいて動作モードを切換えることができるため、面倒な操作や複雑な操作を行うことなく容易に動作モードを切換えることができる。
【０１０７】
なお、ここでは、接続するクレードルコネクタが異なるようにデジタルカメラ１０の挿入方向を変えてクレードル６０に装着する例について説明したが、例えば、クレードル６０のカメラ挿入部６１に充分な幅をもたせ、挿入方向を変えずに、デジタルカメラ１０を所定の幅だけシフトして装着することにより、デジタルカメラ１０のコネクタ４０に接続されるクレードルコネクタを異ならせて装着できる構成としてもよい。
【０１０８】
以上、本発明に係る様々な実施例を説明したが、本発明はこれら実施例に限定されるものではなく、特許請求の範囲に記載された範囲内で様々な設計上の変更を行うことができる。
【０１０９】
例えば、本発明に係る携帯機器は上記デジタルカメラには限定されず、携帯電話、ＰＤＡ等、様々な携帯機器に適用可能である。
【０１１０】
また、デジタルカメラ１０をクレードル６０に装着したときに自動的に切換わるようにするか、装着する前にデジタルカメラ１０でユーザが操作することにより切換えるか、のいずれか一方を予め選択設定できるような構成としてもよい。
【０１１１】
また、上述した各実施例では、２つの動作モードを切換える例について説明したが、切換える動作モードは３つ以上であってもよい。例えば、切換える動作モードの数に対応させて検出手段を複数設けることにより複数の向きを検出できるようにしたり、また、デジタルカメラ１０またはクレードル６０の何れか一方にコネクタ（クレードルコネクタ）を３つ以上設けて、接続状態を判断するようにすることもできる。
【図面の簡単な説明】
【０１１２】
【図１】図１（Ａ）は、実施例１に係るデジタルカメラの外観上の構成を示した外観図であり、図１（Ｂ）は、デジタルカメラを装着することが可能で、かつデジタルカメラが装着されたときにデジタルカメラと電気的に接続されるクレードルの外観をデジタルカメラとの関係において示した外観図である。
【図２】実施例１に係るデジタルカメラの電気系の構成を示した構成図である。
【図３】図３（Ａ）は、実施例１において、デジタルカメラの正面の向きがクレードルの正面の向きと一致するようにデジタルカメラをクレードルに装着する場合を示した図であり、図３（Ｂ）は、デジタルカメラの背面の向きがクレードルの正面の向きと一致するようにクレードルに装着する場合を示した図である。
【図４】実施例１に係るＣＰＵにより実行される処理ルーチンを示したフローチャートである。
【図５】図５（Ａ）は、実施例２において、デジタルカメラの正面の向きがクレードルの正面の向きと一致するようにデジタルカメラをクレードルに装着する場合を示した図であり、図５（Ｂ）は、デジタルカメラの背面の向きがクレードルの正面の向きと一致するようにクレードルに装着する場合を示した図である。
【図６】図６（Ａ）は、実施例３において、デジタルカメラの充電用コネクタとクレードルコネクタとが接続されるようにデジタルカメラをクレードルに装着する場合を示した図であり、図６（Ｂ）は、デジタルカメラの外部装置接続用コネクタとクレードルコネクタとが接続されるようにデジタルカメラをクレードルに装着する場合を示した図である。
【図７】図７（Ａ）は、実施例４において、デジタルカメラのコネクタと充電用のクレードルコネクタとが接続されるようにデジタルカメラをクレードルに装着する場合を示した図であり、図７（Ｂ）は、デジタルカメラのコネクタと外部装置接続用のクレードルコネクタとが接続されるようにデジタルカメラをクレードルに装着する場合を示した図である。
【符号の説明】
【０１１３】
１０  デジタルカメラ
２４  フラッシュメモリ
２８  ＣＰＵ
４０、４０ａ、４０ｂ  コネクタ
４１  スイッチ部
６０  クレードル
６２、６２ａ、６２ｂ  クレードルコネクタ
６３  突起部
【図１】
2005064900.tif 000003
【図２】
2005064900.tif 000004
【図３】
2005064900.tif 000005
【図４】
2005064900.tif 000006
【図５】
2005064900.tif 000007
【図６】
2005064900.tif 000008
【図７】
2005064900.tif 000009